(57)【要約】磁気共鳴（ＭＲ）システム（１０）は画像化されるスピンシステムを励振する検査領域にＲＦパルスを送信する高周波（ＲＦ）送信器を有する。コイル要素（２０、２４、２８）はＭＲ信号を取り出し、そのＭＲ信号は復調され、ＲＦ受信器（３６）によりディジタルデータに変換される。複数の独立した並列処理チャネル（４２１、４２２、．．．、４２ｎ）はディジタルデータからの画像を再構成するためにＲＦ受信器に動作可能であるように接続されている。並列処理チャネル（４２１、４２２、．．．、４２ｎ）は１つ又はそれ以上のパイプラインステージ（５４１、５４２、．．．、５４ｎ）を有する。処理チャネル及びパイプラインステージは複数の処理又は再構成ユニット（５２）を有する。処理タスクは、ハードウェア資源に処理タスクをマッピングするために単一の一般ストラテジを用いてスキャン毎に基づいてそれらの処理又は再構成ユニットに動的に割り当てられる。処理又は再構成ユニット（５２）間の接続（５６）はスイッチング手段（６０）を用いて構成されている。このように、種々の数のコイル要素（２０、２４、２８）が、任意に、利用可能な処理資源を活用するために適合する数の処理チャネル（４２１、４２２、．．．、４２ｎ）に接続される。
2006528016.tif 000002
【特許請求の範囲】
【請求項１】
画像化されるスピン系を励振し且つ操作するように検査領域にＲＦパルスを生成し、送信するための手段；
前記検査領域から発せられるＭＲ信号を取り出すための手段；
前記ＭＲ信号を復調し、前記の復調されたＭＲ信号をディジタルデータに変換するための手段；及び
動的に再構成可能な接続を有する複数の処理ユニットを有する、前記ディジタルデータから画像を再構成するための手段；
を有することを特徴とするＭＲＩシステム。
【請求項２】
請求項１に記載のＭＲＩシステムであって、前記の複数の処理ユニットは組み込まれた処理器を有する、ことを特徴とするＭＲＩシステム。
【請求項３】
請求項１に記載のＭＲＩシステムであって、前記の複数の処理ユニットはパーソナルコンピュータ及びワークステーションの一を有する、ことを特徴とするＭＲＩシステム。
【請求項４】
請求項１に記載のＭＲＩシステムであって、前記処理ユニットは、スイッチング構成、クロスバー等を用いて、動的に再構成される、ことを特徴とするＭＲＩシステム。
【請求項５】
請求項１に記載のＭＲＩシステムであって、前記のＭＲ信号を取り出すための手段は複数のコイル要素を有し、前記のＭＲ信号を復調し、変換するための手段は複数のＲＦ受信器であって、各々は関連するコイル要素に動作可能であるように接続されている、ＲＦ受信器を有する、ＭＲＩシステムであり：
前記処理ユニットを複数の独立した並列に処理するチャネルに配置するように前記処理ユニットを相互接続するための手段であって、各々のチャネルは１つ又はそれ以上のＲＦ受信器と動作可能であるように接続されている、手段；
を有することを特徴とするＭＲＩシステム。
【請求項６】
請求項５に記載のＭＲＩシステムであって、前記の独立した並列に処理するチャネルの各々は：
１つ又はそれ以上のパイプラインステージ；
を更に有する、ことを特徴とするＭＲＩシステム。
【請求項７】
請求項６に記載のＭＲＩシステムであって、前記の独立した並列に処理するチャネルの各々は：
ｋ空間においてディジタルデータで動作する第１パイプラインステージ；
ｋ空間から画像ドメインに前記ディジタルデータを変換するための１つ又はそれ以上の中間パイプラインステージ；及び
前記画像ドメインにおいて前記ディジタルデータで動作するための最終パイプラインステージ；
を更に有する、ことを特徴とするＭＲＩシステム。
【請求項８】
請求項６に記載のＭＲＩシステムであって：
各々のチャネルの出力を操作するように、最終パイプラインステージに割り当てられた前記処理ユニットに動作可能であるように接続された結合ユニット；
を更に有する、ことを特徴とするＭＲＩシステム。
【請求項９】
請求項８に記載のＭＲＩシステムであって、前記結合ユニットは各々のチャネルの出力を重み付けし、その重み付けされた出力を加算する、ことを特徴とするＭＲＩシステム。
【請求項１０】
請求項８に記載のＭＲＩシステムであって、前記の独立した並列に処理するチャネルにより生成されたデータの交換は画像ドメインに対して制限され、その交換は：
前記最終パイプラインステージに割り当てられた前記処理ユニットによる及び前記結合ユニットによる前記データの交換の１つ；
を有する、ことを特徴とするＭＲＩシステム。
【請求項１１】
ＭＲ信号を処理するための方法であって：
画像化されるスピン系を励振し且つ操作するように検査領域にＲＦパルスを生成し、送信する段階；
前記検査領域から発せられるＭＲ信号を取り出す段階；
前記ＭＲ信号を復調し、前記の復調されたＭＲ信号をディジタルデータに変換する段階；及び
動的に再構成可能な接続を有する複数の処理ユニットにより前記ディジタルデータから画像を再構成する段階；
を有することを特徴とする方法。
【請求項１２】
請求項１１に記載の方法であって：
スキャン毎に基づいてチャネル及びパイプステージの処理に対して前記処理ユニットを割り当てるように前記処理ユニットの接続を動的に再構成する段階；
を更に有する、ことを特徴とする方法。
【請求項１３】
請求項１２に記載の方法であって：
使用中にＲＦ受信器に前記処理チャネルを動的に割り当てる段階；
を更に有する、ことを特徴とする方法。
【請求項１４】
請求項１１に記載の方法であって：
前記処理ユニットを前記の独立した並列に処理するチャネルに配置するように前記処理ユニットを相互接続する段階であって、各々のチャネルは１つ又はそれ以上のＲＦ受信器と動作可能であるように接続される、段階；及び
各々の独立した並列に処理するチャネルにおける独立した処理により前記ディジタルデータからの前記画像を再構成する段階；
を更に有する、ことを特徴とする方法。
【請求項１５】
請求項１４に記載の方法であって、各々の独立した並列に処理するチャネルにおける前記処理ユニットは複数のパイプラインステージに配置されている、ことを特徴とする方法。
【請求項１６】
請求項１５に記載の方法であって：
各々の処理チャネルの出力を重み付けする段階；及び
その重み付けされた出力の一部を又は全部を結合する段階；
を更に有する、ことを特徴とする方法。
【請求項１７】
請求項１６に記載の方法であって、前記の結合する段階は最終パイプラインステージで実行される、段階であって：
第１チャネルからの画像を第１の中間結合画像を形成するように隣接チャネルからの画像と結合する手順；
ｎ番目のチャネルの画像を第２の中間結合画像を形成するように隣接チャネルからの画像と結合する手順；並びに
全てのチャネルからの画像が結果として得られる結合画像に結合されるまで、新しい中間結合画像を生成するように各々の中間結合画像を他のチャネルからの画像と結合させる手順；
を有する、ことを特徴とする方法。
【請求項１８】
請求項１７に記載の方法であって：
最終チャネルの方向に中央チャネルから結果として得られた結合画像を連続的に送り、隣接処理ユニットにより前記最終チャネルの方向に前記中央チャネルから反対方向に前記の結果として得られた結合画像を同時に送ることにより前記最終パイプラインステージに割り当てられる前記処理ユニットに前記の結果としてえられた結合画像を分配する段階；
を有する、ことを特徴とする方法。
【請求項１９】
請求項１６に記載の方法であって、前記最終結合する段階はパイプラインステージにおいて実行される、段階であって：
処理チャネルの対から中間結合画像に画像を結合する手順；及び
全てのチャネルからの画像が結果として得られた結合画像に結合されるまで、前記中間結合画像の対を結合する手順；
を有する、ことを特徴とする方法。
【請求項２０】
請求項１９に記載の方法であって：
中央チャネルから最終チャネルに結果として得られた結合画像を連続的に送り、隣接処理ユニットにより前記最終チャネルの方向に前記中央チャネルから反対方向に前記の結果として得られた結合画像を同時に送ることにより前記最終パイプラインステージに割り当てられる前記処理ユニットに前記の結果としてえられた結合画像を分配する段階；
を有する、ことを特徴とする方法。
【請求項２１】
請求項１４に記載の方法であって：
パイプラインステージに反復再構成アルゴリズムの順方向処理をマッピングする段階；
パイプラインステージに反復再構成アルゴリズムの逆方向処理をマッピングする段階；及び
第１パイプラインステージはｋ空間において前記ディジタルデータで動作し、そして最終パイプラインステージは画像ドメインにおいて前記ディジタルデータで動作するように、種々のデータ集合の前記順方向処理及び逆方向処理を同時に実行する段階；
を更に有する、ことを特徴とする方法。
【請求項２２】
請求項２１に記載の方法であって：
反復再構成アルゴリズムの前記順方向処理及び逆方向処理のために２つの個別の独立した並列処理を用いる段階；
を更に有する、ことを特徴とする方法。
【発明の詳細な説明】
【技術分野】
【０００１】
本発明は、診断医療イメージングに関する。本発明は、特に、磁気共鳴画像の再構成に関連する特定のアプリケーションを開拓し、特定の基準を用いて表されることとなる。
【背景技術】
【０００２】
従来、磁気共鳴イメージングスキャナは、典型的には、超伝導である主マグネットを有し、その主マグネットは、検査領域全体に亘って時間的に一定の磁場を生成するものである。全身用コールのような高周波コイル及びＢ０磁場において画像化されるダイポールの共鳴周波数に調整された送信器は、しばしば、それらのダイポールを励振し、操作する。空間的情報は、種々の方向において検査領域に対してＢ０磁場に加えて磁場勾配を生成するように電流で勾配コイルを駆動することによりエンコードされた。ＲＦ受信器により復調され、フィルタリングされ、サンプリングされ、最終的に、ある専用ハードウェアの又は汎用ハードウェアにおいて画像に再構成される磁気共鳴信号が、同じコイルにより取得された。
【０００３】
ＲＦパルスを送受信するために同じコイルを用いるのではなく、表面又は局所受信コイルの使用が、近年、益々一般的に成ってきた。そのような受信コイルは、しばしば、アレイ状に配置され、そのアレイ要素の出力を結合することに代えて、個々のコイル要素からの出力を別々に再構成することが有利であることが分かった。それ故、各々のコイル要素は、典型的には、それら自体のＲＦ受信器と接続している。
【０００４】
今日のスキャナは独立したＲＦ受信器と共に幾つかの受信チャネルを有することが必要である一方、それらのスキャナは、尚も、１つの再構成ユニットを有する。ＲＦ受信器の各々からのデータの処理は再構成ユニットにおいて適時にインターリーブされ、再構成の時間を減少させると並行して実行される。  
再構成ユニットを単純に増やすことは、個々のユニットに対して処理効率をどのように割り当てるかの問題をもたらす。例えば、実際には、可変数のコイル要素が用いられるため、受信チャネルに対する再構成ユニットの固定割り当ては、利用可能なハードウェアのうちの少ない使用のみとなる。更に、一般に、再構成ユニット間に処理を適切に分配するためには、再構成ソフトウェアの複雑度が非常に増大する。
【発明の開示】
【発明が解決しようとする課題】
【０００５】
本発明は、上記の及び他の問題点を克服することができるイメージング装置の改善と方法の改善とを提供する。
【課題を解決するための手段】
【０００６】
本発明の一特徴に従って、ＭＲＩシステムについて開示する。本発明の手段は、励振するために検査領域にＲＦパルスを生成し且つ送信し、画像化されるスピン系を操作する。本発明の手段は、ＭＲ信号を復調し、復調されたＭＲ信号をディジタルデータに変換する。本発明の手段は、動的に再構成可能な接続を有する複数の再構成可能処理ユニットを有し、ディジタルデータを画像に再構成する。
【０００７】
本発明の他の特徴に従って、ＭＲ信号を処理するための方法について開示する。ＲＦパルスが生成され、画像化されるスピン系を励振し且つ操作するために検査領域に送信される。検査領域から発せられるＭＲ信号は捕捉される。捕捉されたＭＲ信号は復調され、ディジタルデータに変換される。そのディジタルデータは、動的に再構成可能な接続を有する複数の処理ユニットにより画像に再構成される。
【０００８】
本発明の有利点は、特に、ハードウェア資源のより効率的な利用のための再構成速度の増加と、ハードウェア資源に処理タスクを割り当てるための単一な一般ストラテジのためのより単純な再構成ソフトウェアとにある。
【０００９】
本発明は、種々の構成要素及び構成要素の組み合わせ並びに種々の段階及び段階の組み合わせを具現化することが可能である。図面は単に好適な実施形態の例示を目的とするためのものであり、本発明を制限することが意図されるものではない。
【発明を実施するための最良の形態】
【００１０】
図１を参照するに、磁気共鳴（ＭＲ）イメージングスキャナ１０は、好適には、例示としての実施形態においてソレノイドコイルを有する超伝導主マグネット１２を有する。主マグネット１２は、マグネット１６のボア１６内の検査領域１４全体に亘って、空間的及び時間的に一定の磁場Ｂ０を生成する。
【００１１】
検査領域１４に対する磁場勾配は、ＭＲ信号を空間的にエンコードし、磁化をスポイルする等のために、勾配コイル１８により生成される。好適な実施形態においては、勾配コイル１８は、長手方向又はｚ方向及びｘ方向及びｙ方向を有する３つの直交する方向に勾配を生成する。
【００１２】
全身用コイル２０は、好適にはバードケージコイルであり、画像化されるスピン系を励振し且つ操作するために高周波（ＲＦ）信号を送信し、ＭＲ信号を受信することが又、可能である。
【００１３】
複数の局所ＲＦコイル２２がボア１６内に配置されている。局所コイル２２は、例示した実施例においては、７つのコイル要素を有するフェーズドアレイコイル２４を有する。任意に、フェーズドアレイコイルは患者支持台２６に組み込まれることが可能である。更に、表面コイルアレイ２８がボア１６内に配置されている。表面コイルアレイは複数の表面コイルを有することが可能であり、それらの表面コイルは被検体の種々の領域のために備えられ、被検体の共通領域のために備えられ、種々の受信特性を有する。
【００１４】
測定を実行するために、被検体は、マグネットのアイソセンタの又はマグネットのアイソセンタの近傍の検査領域において対象領域をマグネットのボア１６内に位置付けられる。シーケンス制御器３０は勾配増幅器３２を制御し、その勾配増幅器は、適切な強度、オリエンテーション及びタイミングで勾配磁場を生成するようにその勾配コイルを駆動する。シーケンス制御器３０は又、全信用コイル２０の支援により、画像化されるスピン系を励振し且つ操作するように検査領域１４に高周波パルスを送信する高周波送信器３４を制御する。
【００１５】
磁気共鳴信号は、検査領域１４の選択された受信コイル内に誘起される。局所コイルアレイ２２のｎ個の要素の各々はＲＦ受信器３６１、．．．、３６ｎの一に接続されている。全身用コイル２０は又、好適には、１つの付加ＲＦ受信器に接続される。
【００１６】
再構成可能な再構成システム４０は、ｎ個の独立した処理チャネル４２１、．．．、４２ｎをＲＦ受信器３６１、．．．、３６ｎの１つに接続されたそれらのチャネルの各々を用いて支援する。処理チャネルにより別々に再構成された画像は最終的に結合ユニット４４により結合される。結合された画像（及び、任意に、非結合の画像）は、記憶又は目視のためにホストコンピュータ５０に送信される。ホストコンピュータ５０は、好適には、パーソナルコンピュータ又はワークステーションであって、ディスプレイとシーケンス制御器３０を接続されたユーザインターフェースとを有し、オペレータが種々のシーケンス及びイメージングパラメータを選択することを可能にする。
【００１７】
継続して図１を、更に図２を参照するに、コイル２０、２２、２８により供給されるデータは、複数の処理チャネル４２１、４２２、．．．、４２ｎの対応する個々のチャネルにＲＦ受信器又は受信チェネルにより送信される。それらのータは、パイプラインステージ５４１、５４２、．．．、５４ｎにおいて配置された複数の処理又は再構成ユニット５２により処理される。チャネル及びパイプラインステージを処理することに対して処理又は再構成ユニット５２の割り当てがスキャン単位に基づいて動的に実行される。更に、処理チャネル数は実際に使用される受信チャネル数に適合される、即ち、実際の受信チャネル数の倍数又は分数倍であるように選択することができる。処理チャネル４２１、４２２、．．．、４２ｎにより個別に再構成された画像は結合ユニット４４に送信され、そこで、画像は結合される。
【００１８】
図３を参照するに、再構成システムの処理チャネルの１つが更に詳細に示されている。再構成は、４つのパイプラインステージ５４１、５４２、５４３及び５４４を用いて実行される。第１パイプラインステージ５４１はｋ空間のデータで動作する。そのパイプラインステージは、例えば、サンプリング密度の比較又はリグリッディング（ｒｅｇｒｉｄｄｉｎｇ）を実行する。中間のパイプラインステージ５４２及び５４３はｋ空間から空間（又は、画像）ドメインにデータを変換する。２つのパイプラインステージを用いることにより、この場合、二次元イメージングにおいて必要な二次元フーリエ変換を２つの続く一次元フーリエ変換であって、それらの一を各々のパイプステージに割り当てる、一次元フーリエ変換に分離することを可能にする。最終のパイプラインステージ５４４は画像ドメインのデータで動作する。そのパイプラインステージは、例えば、ロールオフ補正又は重み付けを実行する。代替として、個々の処理チャネルからの画像は又、結合ユニットに対して必要な帯域幅を大幅に減少させるために最終パイプラインステージにおいて部分的に又は完全に結合される。反復再構成の場合、その反復再構成に対して、種々のアルゴリズムは既知であり、それらの処理段階は順方向処理を構成する。パイプラインステージに対して処理タスクの同じ割り当てを保つ場合、最終パイプラインステージから第１パイプラインステージへの逆方向にデータを送信することにより、逆方向処理を同様に実行することができる。更に、空間ドメインにおける一部の更なる処理は最終パイプラインステージにおいて実行される必要がある。その一部の更なる処理は、例えば、行列ベクトルの乗算は用いない、共役勾配又は一般化最小残量法等の反復再構成のコアと、新しい反復を開始する前に最終パイプラインステージに割り当てられた全ての処理又は再構成ユニットに対する最終的に結合された画像の再配分とを有する。
【００１９】
図４は、図３の４つのパイプラインステージ５４１、５４２、５４３及び５４４で実行される反復再構成についての有効なタイミングについて示している。Ｐ＿ｘｙは反復ｙで画像ｘを処理することを示している。最初の反復において、画像Ａは、順方向処理を用いて、パイプラインステージ５４１、５４２、５４３及び５４４で実行される。画像Ｂ、Ｃ及びＤは、適切な後の時間にパイプラインステージ５４１に入る。第１画像Ａがパイプラインステージ５４４に達したとき、パイプラインステージ５４１は最初の反復において画像Ｂ、Ｃ及びＤを処理する。次いで、逆方向処理が、パイプラインステージ５４４の第１反復において画像Ａから開始される。好適には、処理器の第１チェーンは順方向処理に専用であり、処理器の第２チェーンは逆方向処理に専用であるが、同じ処理器において同時に、順方向処理及び逆方向処理を実行することが又、できる。
【００２０】
図５Ａ及び５Ｂにおいては、処理チャネルにより個別に再構成された画像を結合するための例示としての技術について示している。その結合は、最終のパイプラインステージ５４４に対して割り当てられる処理又は再構成ユニットにより実行され、それらの処理又は再構成ユニットは互いとデータを交換する能力を有している。
【００２１】
図５Ａにおいては、チャネル４２１からの画像はチャネル４２２からの画像と結合され、中間結合画像を生成し、その中間画像は、隣接チャネル４２３からの画像と更に結合されるようにその隣接チャネル４２３に送信される。同時に、チャネル４２ｎからの画像はチャネル４２ｎ−１からの画像と結合され、中間結合画像を生成し、その中間画像は、隣接チャネル４２ｎ−２からの画像と更に結合されるようにその隣接チャネル４２ｎ−２に送信される。全てのチャネル４２１、４２２、．．．、４２ｎからの最終の結合画像がｎ／２個のステップの後に得られた後、その最終の結合画像は更なる処理のために結合ユニット４４に送信される。
【００２２】
図５Ｂにおいては、チャネル４２１及び４２２、４２３及び４２４、．．．、４２ｎ−１及び４２ｎからの画像は並行して結合される。全てのチャネル４２１、４２２、．．．、４２ｎからの最終の結合画像が得られた後、その最終の結合画像は更なる処理のために結合ユニット４４に送信される。代替として、結合処理はより早く終了することが可能であり、残りの中間結合画像全てが更なる処理のために結合ユニット４４に送信されることが可能である。
【００２３】
図６Ａ乃至Ｃは、６つの処理又は再構成ユニット５２１、５２２、．．．、５２６を利用する本発明の例示としての実施形態について示している。図７においては、６つの処理又は再構成ユニット５２１、５２２、．．．、５２６は、各々、単一のパイプラインステージ５４１用いて６つのチャネル４２１、４２２、．．．、４２６を処理するように構成されている。６つのコイル要素からのデータは６つの対応する処理チャネルに送信される。処理チャネルの各々からの６つの画像は結合ユニット４４で合計される。
【００２４】
図６Ｂにおいては、６つの処理又は再構成ユニット５２１、５２２、．．．、５２６は、各々、２つのパイプラインステージ５４１、５４２を用いて３つのチャネル４２１、４２２及び４２３を処理するように構成されている。３つのコイル要素からのデータは３つの対応する処理チャネルに送信される。処理チャネルの各々からの３つの画像は結合ユニット４４で合計される。
【００２５】
図６Ｃにおいては、６つの処理又は再構成ユニット５２１、５２２、．．．、５２６は、各々、３つのパイプラインステージ５４１、５４２及び５４３を用いて２つのチャネル４２１及び４２２を処理するように構成されている。２つのコイル要素からのデータは２つの対応する処理チャネルに送信される。処理チャネルの各々からの２つの画像は結合ユニット４４で合計される。
【００２６】
図７Ａ乃至Ｃ及び８は、同様の機能性を有するスイッチ６０又は他のハードウェアを用いて、図６Ａ乃至Ｃの６つの処理又は再構成ユニット５２１、５２２、．．．、５２６の間の相互接続の２つの代替の実施形態を示している。それらの相互接続は、図６Ａ乃至Ｃのネットワークトポロジを実現するように構成されている。６つの処理ユニットは例として示しているが、処理器の何れの数を採用することが可能である。
【００２７】
図７Ａにおいては、クロスバースイッチ６０が図６Ａの６つの組み込まれた処理器５２１、５２２、．．．、５２６を接続するために用いられ、それはスキャン毎に基づいてハードウェアにおける接続５６の静的構成を可能にする。処理器５２１、５２２、．．．、５２６はクロスバー６０により互いと画像を交換する。再構成が完了した後、各々の処理器は結合ユニット４４に出力Ｏ１乃至Ｏ６により画像を送信する。代替として、上記のように、画像結合が処理器自体において部分的に又は全体的に実行される。
【００２８】
図７Ｂにおいては、クロスバースイッチ６０が、図６Ｂに示されているように、６つの組み込まれた処理器５２１、５２２、．．．、５２６を接続するために用いられる。処理器５２１、５２２及び５２５はチャネル４２１、４２２及び４２３のパイプラインステージ５４に割り当てられる。処理器５２１、５２３及び５２５は入力Ｉ１乃至Ｉ３により入力データを受信する。処理器５２２、５２４及び５２６はチャネル４２１、４２２及び４２３のパイプラインステージ５４２に割り当てられる。処理器５２２、５２４及び５２６はクロスバー６０により互いと画像を交換する。再構成が完了した後、処理器５２２、５２４及び５２６は結合ユニット４４に出力Ｏ１乃至Ｏ３により画像を送信する。
【００２９】
図７Ｃにおいては、クロスバースイッチ６０が、図６Ｃに示されているように、６つの組み込まれた処理器５２１、５２２、．．．、５２６を接続するために用いられる。処理器５２２及び５２４はチャネル４２１及びのパイプラインステージ５４に割り当てられる。処理器５２１及び５２４は入力Ｉ１及びＩ２により入力データを受信する。処理器５２３及び５２６はチャネル４２１及び４２２のパイプラインステージ５４３に割り当てられる。処理器５２３及び５２６はクロスバー６０により互いと画像を交換する。再構成が完了した後、処理器５２３及び５２６は結合ユニット４４に出力Ｏ１及びＯ２により画像を送信する。
【００３０】
図８においては、１つの処理又は再構成ユニットとして各々機能する６つのパーソナルコンピュータ又はワークステーション５２１、５２２、．．．、５２６を接続するために用いられる。そのスイッチ６０は、データの各々のパケットに対してソフトウェアにおける接続５６の動的構成を可能にする。
【００３１】
それ故、図７Ａ乃至７Ｃ及び図８に示すシステムは、図７Ａのように、第１スキャンについて、各々、１つのパイプステージを有する６つの処理チャネルを有するように；図７Ｂのように、第２スキャンについて、各々、２つのパイプステージを有する３つの処理チャネルを有するように；図７Ｃのように、第３スキャンについて、各々、３つのパイプステージを有する２つの処理チャネルを有するように；構成されることが可能である。更に、各々の処理又は再構成ユニットは特定のチャネルに専用化される必要はない。そうではなく、１つ又はそれ以上の処理又は再構成ユニットが２つ又はそれ以上のチャネル間で共有されることが可能である。
【００３２】
本発明について、好適な実施形態に関連して上述した。上記の詳細な説明を読み、理解することにより、当業者は修正及び変形が可能であることが明らかとなるであろう。同時提出の特許請求の範囲又はそれと同等の範囲内にそのような修正及び変形全てが包含されることが本発明において、意図されている。
【図面の簡単な説明】
【００３３】
【図１】本発明に従った磁気共鳴イメージングシステムを示す図である。
【図２】本発明に従った再構成可能な再構成システムを示す図である。
【図３】本発明に従った４つのパイプラインに対する処理タスクの有効な分配を示す    図である。
【図４】本発明に従ったチャネル毎の４つの処理における反復再構成を実行するため    の有効なタイミングを示す図である。
【図５Ａ】本発明に従って最終結合画像を生成するために個々の処理チャネルから画    像を結合するための技術を示す図である。
【図５Ｂ】本発明に従って最終結合画像を生成するために個々の処理チャネルから画    像を結合するための技術を示す図である。
【図６Ａ】本発明に従った、各々、１つのパイプステージを有する６つの処理チャネルを用いる再構成可能な再構成システムを示す図である。
【図６Ｂ】本発明に従った、各々、２つのパイプステージを有する３つの処理チャネルを用いる再構成可能な再構成システムを示す図である。
【図６Ｃ】本発明に従った、各々、３つのパイプステージを有する２つの処理チャネルを用いる再構成可能な再構成システムを示す図である。
【図７Ａ】本発明に従って、同じ全処理ユニット数を用いて、異なる処理チェネル数及びパイプラインステージ数を各々支援する６つの組み込まれた処理ユニットを有するボードを構成する再構成可能な再構成システムを示す図である。
【図７Ｂ】本発明に従って、同じ全処理ユニット数を用いて、異なる処理チェネル数及びパイプラインステージ数を各々支援する６つの組み込まれた処理ユニットを有するボードを構成する再構成可能な再構成システムを示す図である。
【図７Ｃ】本発明に従って、同じ全処理ユニット数を用いて、異なる処理チェネル数及びパイプラインステージ数を各々支援する６つの組み込まれた処理ユニットを有するボードを構成する再構成可能な再構成システムを示す図である。
【図８】処理ユニットとしてパーソナルコンピュータ又はワークステーションを、相互接続としてスイッチを有する、汎用ハードウェアを構成する再構成可能な再構成システムを示す図である。
【図１】
2006528016.tif 000003
【図２】
2006528016.tif 000004
【図３】
2006528016.tif 000005
【図４】
2006528016.tif 000006
【図５Ａ】
2006528016.tif 000007
【図５Ｂ】
2006528016.tif 000008
【図６Ａ】
2006528016.tif 000009
【図６Ｂ】
2006528016.tif 000010
【図６Ｃ】
2006528016.tif 000011
【図７Ａ】
2006528016.tif 000012
【図７Ｂ】
2006528016.tif 000013
【図７Ｃ】
2006528016.tif 000014
【図８】
2006528016.tif 000015
【国際調査報告】
2006528016.tif 000016
2006528016.tif 000017